(57)【要約】  本発明は、透析液を再生するためのデバイスに関連し、デバイスは、第１の回路と第２の回路を含み、第１の回路は、使用された透析液を受け入れるための容器と、容器の下流に接続されたフィルタの１次側と、フィルタの１次側から容器の中への戻りラインとを有し、フィルタは、使用された透析液から清浄水を生成するように設計され、第２の回路は、フィルタの２次側と、透析機の透析物側と、透析機の透析物側から容器の中への戻りラインとを有する。本発明は、透析液を再生する方法にも関する。【選択図】図１
2021515634.tif 000002
【特許請求の範囲】
【請求項１】
透析液を再生するための装置であって、
第１の回路と、
第２の回路と、を有し、
前記第１の回路は、使用された透析液を受け入れるための容器（１０）と、該容器（１０）の下流に接続されたフィルタ（２０）の１次側（２１）と、該フィルタ（２０）の１次側（２１）から前記容器（１０）の中への戻りライン（３０）とを有し、
前記フィルタ（２０）は、前記使用された透析液から清浄水を調製するように構成され、
前記第２の回路は、前記フィルタ（２０）の２次側（２２）と、透析機（１００）の透析物側と、該透析機（１００）の前記透析物側から前記容器（１０）の中への戻りライン（４０）とを備えている、
ことを特徴とする装置。
【請求項２】
前記フィルタ（２０）は、グラフェンフィルタである、
請求項１に記載の装置。
【請求項３】
ポンプ（５０）が、前記第１の回路内の流体の流れを達成するために該第１の回路、好ましくは前記フィルタ（２０）の前記１次側（２１）の上流に、配置され、及び／又は
圧力を前記フィルタ（２０）の前記１次側（２１）にそれを用いて設定することができる圧力安全デバイス（６０）が、前記第１の回路、好ましくは該フィルタ（２０）の下流に、設けられている、
請求項１又は２に記載の装置。
【請求項４】
遮断要素（９０）によって閉鎖可能なバイパスラインが、前記圧力安全デバイス（６０）の周りに設けられている、
請求項３に記載の装置。
【請求項５】
センサ、好ましくは導電率セル（７０）が、前記第１の回路内の物質の濃度を検出するために該第１の回路に配置されていることを特徴とし、及び／又は
センサ、好ましくは導電率セル（８０）が、前記フィルタ（２０）の前記２次側（２２）に存在する前記水の純度を決定するために該第２の回路内の前記透析機の上流に配置されていることを特徴とする、
請求項１ないし４のいずれか１項に記載の装置。
【請求項６】
圧力測定デバイス（１０２）が、前記フィルタ（２０）の前記２次側（２２）の下流に配置されている、
請求項１ないし５のいずれか１項に記載の装置。
【請求項７】
前記フィルタ（２０）の前記２次側（２２）から流れ出る前記水を直ぐに使える透析液を調製するための１又は２以上の濃縮物と混合するように構成された混合デバイスが、該フィルタ（２０）の該２次側（２２）の下流に設けられている、
請求項１ないし６のいずれか１項に記載の装置。
【請求項８】
透析液を前記透析機（１００）から前記容器（１０）までの好ましくは前記戻りライン（３０）から除去するための限外濾過ポンプを有し、及び／又は
前記透析機（１００）への及びそこからの透析液の平衡供給及び除去のための平衡化チャンバ（Ｂ）を有する、
請求項１ないし７のいずれか１項に記載の装置。
【請求項９】
前記フィルタ（２０）は、気体に対して不透過性であり、及び／又は
前記第２の回路は、脱気デバイスを持たない、
請求項１から８のいずれか１項に記載の装置。
【請求項１０】
コントローラを有し、
前記コントローラは、前記容器（１０）に閉じ込められた前記液体を部分的に又は完全に廃棄するように、かつそれを前記センサ、特に前記導電率セル（７０）が濃度限界値を超える値を該コントローラに報告した時に清浄水と交換するように構成される、
請求項５ないし９のいずれか１項に記載の装置。
【請求項１１】
レベルセンサ（１１０）が、前記容器（１０）内の充填レベルが開始値に対して低下した時にエラーメッセージを出力するように及び／又は装置の作動を停止するように構成されたコントローラを装置が有することが好ましくは規定された状態で該容器（１０）に配置されている、
請求項１ないし１０のいずれか１項に記載の装置。
【請求項１２】
前記第１及び／又は第２の回路は、閉じている、
請求項１ないし１１のいずれか１項に記載の装置。
【請求項１３】
前記容器（１０）は、バッグ、特に可撓性バッグとして、更に特に単回使用（使い捨て）物品として構成されることを特徴とし、及び／又は
装置が、透析機械又は透析機械の一部を形成する、
請求項１ないし１２のいずれか１項に記載の装置。
【請求項１４】
請求項１ないし１３のいずれかに１項に記載の装置を有する透析液を再生する方法であって、
前記溶液は、前記容器（１０）から前記フィルタ（２０）の前記１次側（２１）に供給され、その保留物が、該容器（１０）の中に再度もたらされ、その透過物が、透析機（１００）に供給される直ぐに使える透析液が１又は２以上の濃縮物との該透過物の混合によって調製される混合領域に供給される、
ことを特徴とする方法。
【請求項１５】
通常作動では新しい清浄水が前記容器（１０）に供給されることもなく、使用された溶液が該容器から排出されることもない、
請求項１４に記載の方法。
【発明の詳細な説明】
【技術分野】
【０００１】
本発明は、透析液を再生する装置及び方法に関する。
【背景技術】
【０００２】
ＲＯプラント（ＲＯ＝逆浸透）を通して透析機械に超純水を供給することは従来技術から公知である。超純水は、患者の処置に対して直ぐに使える透析液を取得するために１又は２以上の濃縮物と混合される。透析液は、透析機内で患者の血液から除去される物質で富化され、かつ流出物を通じて廃棄される。使用された透析液のエネルギ含量を部分的に利用することができるように、使用された透析液から直ぐに使える透析液に熱交換器を用いて熱を伝達することは更に公知である。
【０００３】
これらの公知のシステム又は透析機械に関して、それらは、透析液の調製に大量の水を消費することに起因して、機械の搬送が困難を伴ってのみ可能であるか、又は全く可能でないほど必然的に大きくて重いことが欠点である。この欠点は、例えば在宅血液透析では特定の影響を有している。これに加えて、これは、処置中に患者に対して移動性を可能にすべきであるいわゆる可搬機械に等しく適用される。
【発明の概要】
【発明が解決しようとする課題】
【０００４】
比較的コンパクトに設計することができ、かつ公知の装置と比べて少ない水及びエネルギ消費を有するように最初に挙げた種類の装置を更に発展させることが本発明の基本的な目的である。
【課題を解決するための手段】
【０００５】
この目的は、請求項１の特徴を有する装置によって達成される。
【０００６】
従って、装置は、第１の回路と第２の回路を有し、第１の回路が、使用された透析液を受け入れるための容器と、容器の下流に接続されたフィルタの１次側と、フィルタの１次側から容器の中への戻りラインとを有し、フィルタが、使用された透析液から清浄水、好ましくは超純水を調製するように構成され、第２の回路が、フィルタの２次側と、透析機の透析物側と、透析機の透析物側から容器の中への戻りラインとを有すると規定される。
【０００７】
フィルタは、容器に含有された溶液から清浄水を調製する目的を有し、すなわち、汚染物質及びイオン、分子のような他の成分のその含有量又は濃度がフィルタに供給される溶液中のものよりも小さい水を調製する目的を有する。フィルタは、好ましくは、直ぐに使える透析液の調製に使用するのに適する水として本発明のフレーム内で理解される超純水を調製するように構成される。フィルタは、１又は複数の段にあるとすることができ、複数の段を通して溶液が次々と流される。水の望ましい純度を取得するために直列に接続された複数のフィルタの使用も考えられる。フィルタは、好ましくは、例えば巻回モジュールの形態にあるＲＯ（逆浸透）フィルタである。
【０００８】
装置は、好ましくは、直ぐに使える透析液を超純水及び１又は複数の濃縮物及び任意的に更に別の添加物から調製することができるように、超純水を誘導するラインの中に又は混合領域の中に開口する１又は２以上の濃縮物ラインを有する。
【０００９】
フィルタは、好ましくはグラフェンフィルタである。これによって理解されるのは、グラフェン又は酸化グラフェンのようなグラフェン誘導体をフィルタ材料として含有するか又はこれらの材料から構成される又はそれを含むフィルタ材料を有するフィルタである。グラフェン又は酸化グラフェンは、気密かつ透水性であり、これは、第１から第２の回路の中への及び従って直ぐに使える透析液の中への気体進入が起こらないという本発明のフレーム内の利点をもたらす。
【００１０】
しかし、本発明は、これらのフィルタに限定されず、むしろ、気体に対して好ましくは不透過性であるが液体を通す他のフィルタも含む。
【００１１】
使用するフィルタが気体に対して不透過性のこの特性を持たない場合に、空気は、例えば、脱気リストリクタによって１次側で分離することができ、かつ次にバルブ（好ましくは圧力安全バルブ）を通じて容器の中に誘導して戻すことができ、すなわち、除去することができる。
【００１２】
ポンプは、第１の回路内の流体の流れを達成するために好ましくはフィルタの上流で第１の回路に好ましくは配置される。このポンプがその搬送パワー又はその搬送圧力において調節可能である場合に、第１の回路を通る溶液のスループット及び／又はフィルタの１次側での液体の圧力は、ポンプを用いて最適フィルタ作動点に設定することができる。
【００１３】
フィルタの１次側の圧力がそれを用いて調節可能である圧力安全バルブは、好ましくは、第１の回路内でフィルタの下流に位置付けられる。それは、ここでは、例えば、調節可能とすることができる圧力安全バルブとすることができる。フィルタの１次側の圧力条件は、このようにして望ましい値に又は望ましい範囲内で設定することもできる。
【００１４】
圧力安全デバイスの周りにあり、かつ遮断要素によって閉鎖可能なバイパスラインは、第１の回路に設けることができる。これは、遮断要素が開いた状態でかつ膜の１次側に沿った流れがそこに存在するかつ例えばフィルム又は層として存在する可能性がある汚染物質を除去する状態でフィルタの１次側を自由に洗い流すのに必要であるとすることができる。
【００１５】
センサ、好ましくは、導電率セルは、第１の回路内の物質の濃度を検出するために第１の回路に配置することができる。すなわち、全装置内で又は容器内及び／又は第１の回路内及び／又は第２の回路内のような少なくともその各部分内で水の完全な交換が必要であるような高い値を物質の濃度が既に取ったか否かを決定することが可能である。
【００１６】
センサ、好ましくは、導電率セルは、透析機の前、すなわち、その上流で第２の回路に配置して２次側に存在するフィルタの水の純度を決定することができる。それが予め定められた限界内にない場合又はそれが限界値よりも低い場合に、フィルタの欠陥に関して結論を下すことができる。これを認識して相応にユーザに助言する及び／又は装置をオフに切り換えるコントローラが存在することができる。
【００１７】
用語「上流」及び「下流」は、装置が作動している、すなわち、それを通して液体が流されている時の互いに対する構成要素の位置に関連することをこの時点で指摘しておく。
【００１８】
圧力測定デバイスは、フィルタの２次側の下流に配置することができる。フィルタに欠陥があるか否かの表示は、そこで測定された圧力からも同様に取得することができる。これ以外にも、使用されるそれぞれのフィルタに対する理想的な値にその後に設定することができる膜間圧力がどのくらい大きいかは、１次側の圧力の知識を用いて決定することができる。これは、例えば、１次側に配置されたかつ第１の回路内でフィルタの上流に配置されたポンプによって行うことができる。
【００１９】
直ぐに使える透析液を調製するための１又は２以上の濃縮物をフィルタの２次側から流出する水に供給するように構成された混合デバイスをフィルタの２次側の下流に設けることが更に考えられる。混合デバイスに至り、かつ濃縮物容器に接続することができ、又は濃縮物容器がそれに接続される１又は２以上の濃縮物ラインをこの目的のために設けることができる。
【００２０】
本発明の更に別の実施形態では、装置は、望ましいか又は医師によって処方される患者の透析液損失を実現することができるように、好ましくは戻りラインからの透析液を除去するための限外濾過ポンプを有する。
【００２１】
変形では、装置は、従来技術から公知であるような透析機への又はからの透析液の平衡供給及び除去のための平衡化チャンバを有する。しかし、これに代えて、例えば充填レベルセンサの支援によって第１の回路の容器を通じて平衡を実現することがこの新しい概念を用いて同じく考えられ、これは、装置の単純な設定を可能にする。
【００２２】
既に上述のように、フィルタが気体に対して不透過性である場合に有利である。この場合に、第２の回路内の脱気デバイスは、省略することができる。
【００２３】
装置は、好ましくは、容器に又は一方又は両方の回路に又は装置全体に位置付けられた液体を部分的に又は完全に廃棄するように、かつそれをセンサが濃度限界値を超える値をコントローラに報告した時に清浄水と交換するように構成されたコントローラを有する。これは、透析液が、再生が可能でないか又はもはや合理的に可能ではないほど非常に濃縮されているか又は非常に多くの汚染物質を有する時に該当する。
【００２４】
レベルセンサは、装置が、容器内の充填レベルが開始値に対して低下した時にエラーメッセージを出力するように及び／又は装置の作動を停止するように構成されたコントローラを有すると好ましくは規定され状態で容器に配置することができる。本発明の好ましい実施形態を表す第１及び第２の回路が閉じている場合に、容器内の充填レベルの低下は、装置の漏出だけに起因するとすることができる。第１及び／又は第２の回路は、好ましくは閉じている。これにより、第１の回路は、容器からフィルタを通じて再び容器に至り、第２の回路は、フィルタから透析機を通じて容器に至り、そこから透析液が再びフィルタに供給されることは理解されるものとする。
【００２５】
実施形態では、容器がバッグとして、特に可撓性バッグとして設計されると規定することができる。これは、容器の容積を柔軟性として設計することができるという利点を有する。これに加えて、バッグは使い捨てとして、すなわち、単回使用のための物品として設計されると規定することができる。容器は、すなわち、処置の終了後に単純方式で任意的にフィルタ及び透析機と共に処分することができる。すなわち、少量の廃棄物だけがバッグとしての設計では科せられる。
【００２６】
装置は、透析機械の構成要素を表すことができ、又は腹膜透析機械、血液透析機械、又は血液透析濾過機械のような透析機械を形成することができる。
【００２７】
本発明は、更に、請求項１から１３のいずれかに１項に記載の装置を有する透析液を再生する方法に関連し、透析液は、容器からフィルタの１次側に供給され、保留物は、容器の中に戻され、透過物は、透析機に供給される直ぐに使える透析液が透過物を１又は２以上の濃縮物と混合することによって調製される装置の混合領域に供給される。
【００２８】
治療処置中に容器に清浄水を供給することも、使用された溶液を排出することも処置行程に応じて可能ではない。これは、モバイル用途では特に重要である。水の交換は、好ましくは、再生がもはや可能ではない又は多大な労力によってのみ可能であるほど透析液が非常に濃縮された時にのみ行われる。これは、特に高い再生率が要求されるような容器が特に小型の設計である時に必要である可能性がある。そのような実施形態は、在宅透析に特に妥当であるとすることができる。本発明の技術的ソリューションの固定式用途に対して、第１及び／又は第２の回路での液体の循環的な交換が可能である（いわゆる清浄水循環）。
【００２９】
単数形の用語は、要素のうちの厳密に１つをこれが可能な実施形態を表すとしても指すとは限らず、むしろ複数の要素を指定することもできることをこの時点で指摘しておく。複数形の使用も単数の当該要素の存在を等しく含み、逆に、単数形も複数の当該要素を含む。
【００３０】
本発明の更に別の詳細及び利点を図面に示す実施形態を参照してより詳細に以下に解説する。
【図面の簡単な説明】
【００３１】
【図１】本発明による装置の概略図である。
【図２】本発明の主題ではない更に別の装置の概略図である。
【発明を実施するための形態】
【００３２】
図１は、本発明による装置を示している。容器１０の中への清浄水のための入口を参照符号Ｉによって示し、入口ラインはバルブＶ１によって遮断可能である。
【００３３】
使用された溶液に対する容器１０からの排出口をＯによって示し、排出ラインはバルブＶ２によって遮断可能である。容器１０はまた、以下では水入口チャンバと呼ぶことになる。
【００３４】
固定水接続部を有する容器１０又は透析液バッグのようなバッグなどのあらゆる他の容器も一般的に使用することができる。
【００３５】
容器１０は、剛性又は可撓性の壁を有することができる。
【００３６】
参照番号１００は、好ましくは、それを通して一方の側Ｄで透析物が流され、かつ他方の側Ｂで血液が流される複数の膜、好ましくは膜バンドル、を有する透析機を示している。透析機１００を通して流され、かつ従って血液からの汚染物質で充填された透析液は、使用された透析液又は使用された透析物と呼ばれる。
【００３７】
透析機１００からライン４０を通って水入口チャンバ１０の中に誘導されて戻される消費透析物は、ポンプ５０によって吸い込まれ、かつ上流に位置決めされて本発明の意味での第１の回路である回路の中にポンピングされる。
【００３８】
この回路は、ポンプ５０と、容器１０と、フィルタ２０の１次側、すなわち、膜の前の又は別のフィルタ媒体の前のセクションと、圧力安全バルブ６０とを実質的に含み、これらの構成要素を接続するラインを含む。参照番号３０は、バルブ６０から容器１０への戻りラインを示している。
【００３９】
参照番号６０は、圧力安全バルブを示している。ポンプ５０は、容器１０からフィルタ２０の１次側２１を通ってバルブ６０を通じて容器１０の中に戻るように消費透析液を搬送する。バルブ６０にわたって及び従って同じくフィルタ２０にわたって圧力低下がここで生じる。この圧力又は圧力低下は、バルブ６０によって設定することができ、かつ従ってフィルタ２０の理想的な作動点を用いて調整することができる。
【００４０】
超純水が２次側２２に、すなわち、フィルタ媒体の後に存在している状態で、フィルタ２０の１次側２１と２次側２２の間の圧力勾配は、流れがフィルタ膜を通って又は他のフィルタ媒体を通って生じるという結果を有する。それは、混合回路、混合容器、ラインセクションなどとして設計することができる混合デバイス２００の中に入る。
【００４１】
塩基性濃縮物及び酸性濃縮物のような１又は２以上の濃縮物との超純水の混合は、混合回路又は混合容器などで行われる。可能であれば透析液によって透析機１００内の血液から熱が引き出されないように、透析液の加熱又は後熱もそこで行うことができる。
【００４２】
保留物、すなわち、フィルタ２０によって分離されない液体の部分は、１次側に残り、かつバルブ６０にわたって水入口チャンバ１０の中に移動して戻る。
【００４３】
これは、容器１０内の液体が徐々に更に濃縮され、それによって導電率が増加するという結果をもたらす。
【００４４】
図１から見ることができるように、第１及び第２の回路は、２つの閉じたカスケード接続の水回路又は液体回路である。これらの回路の２よりも多くが、一般的に存在してもよい。
【００４５】
フィルタ２０は、特に、グラフェンフィルタ技術に基づくことができ、それによって超純水を、溶存酸素なしでフィルタから同時に分離することができる。これは、個別の脱気回路のような透析機械内の更に別の構成要素を節約する。
【００４６】
バルブ６０を通じたフィルタ２０のその１次側２１での「洗浄」によって高い性能を達成することができ、フィルタ２０の汚染を防止する又は遅らせることができる。フィルタ２０の使用寿命は、それによって延びる。フィルタ２０は、これに加えて、バルブ９０が圧力安全バルブ６０を短絡させることなく洗い流すことができる。この場合に、液体は、バルブ６０をバイパスしながらバルブ９０を含むバイパスの中に移動し、かつそこから容器の中に移動して戻る。この手順は、フィルタ性能が顕著に低下した場合に有利である。
【００４７】
図１から更に見ることができるように、充填レベルセンサ１１０は、容器１０に位置付けられる。これが、容器１０内の充填レベルが限界値未満に低下したと報告する場合に、第１の回路と第２の回路の両方が閉じており、かつ充填レベルが従って同じに留まるべきであると考えられるので、漏出に関して結論を下すことができる。バルブＶ１及びＶ２は、通常作動時には、すなわち、水の交換が行われない時には閉じている。
【００４８】
ポンプの後方、すなわち、その下流に、導電率セル７０が存在することは、図１から更に分かる。回路作動によって生じた汚染液体の濃度は、従って測定可能であり、回路内の水を完全に交換すべき時期（清浄水循環）は、このようにして導出することができる。この交換は、バルブＶ１及びＶ２を使用して行うことができ、かつ容器１０内のレベルセンサ１１０の支援によって容積的に平衡させることができる。
【００４９】
通常透析作動時に、バルブＶ１及びＶ２は閉じており、それによってレベルセンサ１０を、上述のように漏出モニタとして使用することができる。２つの閉回路のうちの一方が液体を失う場合に、これは、容器１０内のレベルを参照して検出可能である。これは、患者安全性に寄与する。
【００５０】
フィルタ２０の機能を、フィルタ２０の後方に、すなわち、その下流にある更に別の導電率セル８０によってモニタすることができる。フィルタ膜又は別のフィルタ媒体への関連の損傷が存在すると直ぐに、導電性イオンがフィルタ２０を通過し、これは、次に、センサ８０によって検出することができる。
【００５１】
任意的に、フィルタの性能の劣化又は喪失を決定することができるように、フィルタ２０の下流に配置された圧力センサ１０２を用いて膜間圧力をフィルタ２０にわたってモニタすることができる。
【００５２】
２つの回路が閉じているので、透析物の加熱に対するエネルギ要件は大幅に落ちる。その結果、従来技術から公知の機械を用いる場合よりも小型の加熱デバイスを使用することができる。熱交換器は、確かに任意的に清浄水循環に対して考えられるが、コストの理由から同じく省くことができる。
【００５３】
上述のように、フィルタ２０の２次側２２で生じる超純水は、機械の混合部２００の中に移動し、かつ直ぐに使える透析液が患者の血液と交換するのに透析機１００で利用可能であるようにそこで例えば重炭酸塩及び酸で富化される。
【００５４】
参照符号Ｂ／Ｕは、医師による処方に対応して消費透析液から部分容積を引き出す平衡ユニット及び／又は限外濾過ポンプを示している。
【００５５】
水よりも大きい有害物質は、２段（カスケード式）フィルタ付属品によって患者から依然として除去することができる。透析液からのＮａ及びＣｌのようなイオンも含むこれらの物質は、続いて容器１０内で濃縮され、かつ清浄水循環の一部として排出口Ｏを通じて廃棄される。限外濾過は、例えば、直接に排出口の中に搬送するユニットＢ／Ｕ内のＵＦポンプを通じて依然として行われる。これらの回路は閉回路であるので、例えば平衡化チャンバの支援によって今日行われるような容積平衡の利点を維持することができる。
【００５６】
追加の脱気手段／脱気装置に対する要件は、フィルタ２０が気体に対して不透過性であるという特性に起因してこの設計では省略される。これに代えて、必要であれば、使用するフィルタに応じて、脱気リストリクタ／脱気装置を図１で参照符号Ｅによって示すように上流回路、すなわち、第１の回路の中に導入することもできる。フィルタモジュール２０又は例えば図１で２０と６０の間に配置することができる同じく個別の空気分離チャンバは、ここでは空気分離チャンバとして機能することができる。
【００５７】
図２は、本発明の保護範囲の対象ではない変形を示している。同じである又は同じ機能を有する要素は、図１と同じ参照番号を有している。
【００５８】
図２から見ることができるように、使用された透析物は、水入口チャンバ１０の中に搬送されて戻る清浄水を分離するために透析機１００を通って流れた後にフィルタ２０に供給される。保留物は、排出口Ｏを通じて廃棄される。清浄水の導電率は、導電率センサ８１で測定され、清浄水は、開放バルブＶ３を用いて容器１０の中に移動する。フィルタ２０は常に洗浄される訳ではなく、それによってフィルタ２０がかなり迅速に詰まる、すなわち、性能を喪失するリスクがあることは、この概念では不利である。これは、増加した水部分を排出口Ｏにわたって廃棄するという点でのみ任意的に回避することができ、これは、水消費を増大させ、かつモバイル用途を不可能にする。濃縮された液体は、フィルタ２０それ自体にのみ依然として回収することができ、これは、清浄水循環、すなわち、閉回路内の液体の交換を時間的に制御するのに導電率セルによる測定をより困難にする。
【００５９】
図２の配置の更に別の欠点は、回路内の圧力状況である。フィルタにわたる膜間圧力は、いずれの更に別の構成要素もなしに透析フィルタに伝達して戻され、この透析フィルタは患者と接触している。この理由から、自由落下距離、減圧器、及び／又は同じくポンプのような更に別の構成要素が、そのようなシステムを設定するのに必要である。これは、図１による配置では、圧力側、すなわち、フィルタ２０の１次側２１が透析機１００と直接に連通せず、むしろ２次側２２と連通しているので該当しない。
【００６０】
コンパクトで運搬し易く設計することができる透析機械の廉価な設計は、本発明により比較的少ない構成要素を用いて実施することができる。これは、低減した透析物流れ及び血液流れを用いてより長い透析処置を可能にすると考えられ、これは、それが腎臓の自然な機能に近づくので、処置の適合性に関してかつ患者の余命に関してその両方に有益である。
【００６１】
本発明を限定しない本発明の好ましい実施形態の利点は、以下の通りである：
使用するフィルタ特性又はグラフェンフィルタ技術に応じた統合脱気が可能である；
２又は３以上の回路をカスケード形態に配置した状態で閉回路による統合平衡が可能である；
ＲＯシステムが統合され、構成要素の節約、すなわち、コストと構成サイズの節約が従ってもたらされる；
フィルタにわたって洗浄するためにかつ同じく混合配置に対する圧力を構築して直ぐに使える透析物を調製するためにただ１つの圧力ポンプが必要であり、更に別のポンプを従って節約することができる；
フィルタの１次側が膜によって透析機から分離されるので、透析機にわたる患者への直接的な望ましくない戻り圧力の影響がない；
フィルタを全体洗浄することができ、使用寿命の増大が従ってもたらされる；
ポンプは、ＲＯ水では稼働せず、これは、ポンプの使用寿命の増大を伴う；
今日の機械と比べて水消費が少なく、従って加熱のためのエネルギ消費も少ない；
漏出が、低水警報／容器内の警報レベルよりも下への低下をもたらすので、容器内のレベルセンサを通じて漏出に対する自動検査が可能である；
フィルタの機能容量は、技術的安全方式で及び実際にフィルタの下流に配置された導電率セルなどを用いてモニタすることができる。従って、機械の以下の混合装置において透析物の正しい組成を達成することができることが保証される：
回路内の液体を交換すべき時期の時間制御は、消費溶液に接触する導電性セルを用いて可能であり（清浄水循環）、洗浄サイクルは、この導電性セルによって同じく決定することができる；
それは、コンパクトで廉価な機械概念である；
患者の液体含量の平衡化は、閉回路によって簡略化される；
単純で極めて正確な限外濾過が可能である；
透析機械の混合デバイスのための高度に無菌性の開始液体を調製することができる；
装置は、腹膜透析（ＰＤ）機械に及び血液透析（ＨＤ）機械に使用することができ、又はそれらを形成することができる。装置は、透析機械又はその一部を表すことができる。
【００６２】
図１による構成要素との様々な組合せも考えられる。
【００６３】
例えば、ポンプ５０は、従って任意的である。
【００６４】
センサ７０は、固定式制御、すなわち、フィルタの固定式清浄水循環行程／洗浄行程で置換することもできる。
【００６５】
脱気装置Ｅは、使用するフィルタに応じて存在する又は省略することもできる。
【００６６】
ポンプ５０は、センサ８０の前又は背後に配置することもできると考えられるが、この構成では全体洗浄は可能ではなく、フィルタの性能喪失を伴う図２の問題が生じると考えられる。
【００６７】
しかし、センサ８０の前又は背後への又はライン４０への又はＢ／Ｕユニット内へのフィルタの出力側（２次側）の更に別のポンプも同じく考えられるであろう。
【００６８】
加熱は、第１の回路内及び第２の回路内の両方に提供することができる。
【００６９】
透析液又は超純水を搬送するためのポンプは、好ましくは第２の回路内にも存在する。
【００７０】
図１による概念は、好ましくはグラフェンフィルタ技術を使用するが、本発明は、これにも別の特定のフィルタにも限定されない。これらの膜が汚染された液体から水／超純水を分離することができる場合に、図１の概念を用いて又は本発明によって他の技術も考えられる。
【００７１】
従来技術から公知のＲＯフィルタシステムは、典型的に異なる技術に基づいている。それらは、比較的劣った性能を有する典型的に巻回モジュールであるが、これらのフィルタもフィルタ２０として考えられる。
【図１】
2021515634.tif 000003
【図２】
2021515634.tif 000004
【国際調査報告】
2021515634.tif 000005
2021515634.tif 000006
2021515634.tif 000007
2021515634.tif 000008
2021515634.tif 000009
2021515634.tif 000010
2021515634.tif 000011